(57)【特許請求の範囲】
【請求項１】
依頼された検査の内容に従って生成された１組複数枚の医用画像を担持する画像データを、配送装置によりオンラインで宛先装置に配送するシステムにおいて、
前記検査において生成すべき画像枚数を予め規定し、
その検査に属する画像の生成枚数を計数し、
その検査に属する最初の画像の生成に係る所定時点から所定時間が経過したときに、前記規定された枚数の画像が生成されていない場合は、その旨を示す通知を装置オペレータに示し、
前記通知を確認した装置オペレータから検査完了指示が与えられたとき、その時点で生成済みの画像についての画像データを配送することを特徴とする画像データ配送方法。
【請求項２】
被検者を撮影した画像を読み取って前記画像データを得る場合に、
前記最初の画像の生成に係る所定時点を、該最初の画像の撮影が開始された時点とすることを特徴とする請求項１記載の画像データ配送方法。
【請求項３】
被検者を撮影した画像を読み取って前記画像データを得る場合に、
前記最初の画像の生成に係る所定時点を、該最初の画像についての画像データが前記配送装置に入力された時点とすることを特徴とする請求項１記載の画像データ配送方法。
【請求項４】
前記通知を確認した装置オペレータから検査完了指示が与えられない場合、さらに一定の時間画像生成の完了を待機し、
この一定の時間経過後に前記規定された枚数の画像が生成されていない場合は、その時点で生成済みの画像についての画像データを配送することを特徴とする請求項１から３いずれか１項記載の画像データ配送方法。
【請求項５】
前記通知を確認した装置オペレータから検査完了指示が与えられない場合、さらに一定の時間画像生成の完了を待機し、
この一定の時間経過後に前記規定された枚数の画像が生成されていない場合は、その旨を示す再通知を装置オペレータに示し、
この再通知を確認した装置オペレータから検査完了指示が与えられたとき、その時点で生成済みの画像についての画像データを配送することを特徴とする請求項１から３いずれか１項記載の画像データ配送方法。
【請求項６】
前記検査内である１つの画像について画像の再生成がなされた場合は、前記所定時間を引き延ばすか、または該所定時間の計時に続く処理をキャンセルすることを特徴とする請求項４または５記載の画像データ配送方法。
【請求項７】
前記検査内である１つの画像について画像の再生成がなされた場合は、前記画像データにこの再生成を示す情報を付帯させて配送することを特徴とする請求項１から６いずれか１項記載の画像データ配送方法。
【請求項８】
依頼された検査の内容に従って生成された１組複数枚の医用画像を担持する画像データを、配送手段によりオンラインで宛先装置に配送する装置において、
前記検査において生成すべき画像枚数を予め規定する手段と、
その検査に属する画像の生成枚数を計数し、その検査に属する最初の画像の生成に係る所定時点から所定時間が経過したときに、前記規定された枚数の画像が生成されていない場合は、その旨を示す通知を装置オペレータに示し、前記通知を確認した装置オペレータから検査完了指示が与えられたとき、その時点で生成済みの画像についての画像データを前記配送手段により配送させる制御手段とを備えたことを特徴とする画像データ配送装置。
【請求項９】
被検者を撮影した画像を読み取って前記画像データが生成される場合、
前記制御手段が、前記最初の画像の生成に係る所定時点を、該最初の画像の撮影が開始された時点とするものであることを特徴とする請求項８記載の画像データ配送装置。
【請求項１０】
被検者を撮影した画像を読み取って前記画像データが生成される場合、
前記制御手段が、前記最初の画像の生成に係る所定時点を、該最初の画像についての画像データが前記配送装置に入力された時点とするものであることを特徴とする請求項８記載の画像データ配送装置。
【請求項１１】
前記制御手段が、前記通知を確認した装置オペレータから検査完了指示が与えられない場合、さらに一定の時間画像生成の完了を待機し、この一定の時間経過後に前記規定された枚数の画像が生成されていない場合は、その時点で生成済みの画像についての画像データを配送させるものであることを特徴とする請求項８から１０いずれか１項記載の画像データ配送装置。
【請求項１２】
前記制御手段が、前記通知を確認した装置オペレータから検査完了指示が与えられない場合、さらに一定の時間画像生成の完了を待機し、この一定の時間経過後に前記規定された枚数の画像が生成されていない場合は、その旨を示す再通知を装置オペレータに示し、
この再通知を確認した装置オペレータから検査完了指示が与えられたとき、その時点で生成済みの画像についての画像データを配送させるものであることを特徴とする請求項８から１０いずれか１項記載の画像データ配送装置。
【請求項１３】
前記制御手段が、前記検査内である１つの画像について画像の再生成がなされた場合は、前記所定時間を引き延ばすか、または該所定時間の計時に続く処理をキャンセルすることを特徴とする請求項１２または１３記載の画像データ配送装置。
【請求項１４】
前記制御手段が、前記検査内である１つの画像について画像の再生成がなされた場合は、前記画像データにこの再生成を示す情報を付帯させて配送させるものであることを特徴とする請求項８から１３いずれか１項記載の画像データ配送装置。
【請求項１５】
依頼された検査の内容に従って生成された１組複数枚の医用画像を担持する画像データを、配送装置によりオンラインで宛先装置に配送するシステムにおいて、
前記検査において生成すべき画像枚数を予め規定する手順と、
その検査に属する画像の生成枚数を計数する手順と、
その検査に属する最初の画像の生成に係る所定時点から所定時間が経過したときに、前記規定された枚数の画像が生成されていない場合は、その旨を示す通知を装置オペレータに示す手順と、
前記通知を確認した装置オペレータから検査完了指示が与えられたとき、その時点で生成済みの画像についての画像データを配送する手順とを有するプログラムをコンピュータに実行させるためのプログラムを記録したコンピュータ読取り可能な記録媒体。
【請求項１６】
被検者を撮影した画像を読み取って前記画像データを得る場合に、
前記最初の画像の生成に係る所定時点を、該最初の画像の撮影が開始された時点とする手順を有することを特徴とする請求項１５記載のコンピュータ読取り可能な記録媒体。
【請求項１７】
被検者を撮影した画像を読み取って前記画像データを得る場合に、
前記最初の画像の生成に係る所定時点を、該最初の画像についての画像データが前記配送装置に入力された時点とする手順を有することを特徴とする請求項１５記載のコンピュータ読取り可能な記録媒体。
【請求項１８】
前記通知を確認した装置オペレータから検査完了指示が与えられない場合、さらに一定の時間画像生成の完了を待機する手順と、
この一定の時間経過後に前記規定された枚数の画像が生成されていない場合は、その時点で生成済みの画像についての画像データを配送する手順とを有することを特徴とする請求項１５から１７いずれか１項記載のコンピュータ読取り可能な記録媒体。
【請求項１９】
前記通知を確認した装置オペレータから検査完了指示が与えられない場合、さらに一定の時間画像生成の完了を待機する手順と、
この一定の時間経過後に前記規定された枚数の画像が生成されていない場合は、その旨を示す再通知を装置オペレータに示す手順と、
この再通知を確認した装置オペレータから検査完了指示が与えられたとき、その時点で生成済みの画像についての画像データを配送する手順とを有することを特徴とする請求項１５から１７いずれか１項記載のコンピュータ読取り可能な記録媒体。
【請求項２０】
前記検査内である１つの画像について画像の再生成がなされた場合は、前記所定時間を引き延ばすか、または該所定時間の計時に続く処理をキャンセルする手順を有することを特徴とする請求項１８または１９記載のコンピュータ読取り可能な記録媒体。
【請求項２１】
前記検査内である１つの画像について画像の再生成がなされた場合は、前記画像データにこの再生成を示す情報を付帯させて配送する手順を有することを特徴とする請求項１５から２０いずれか１項記載のコンピュータ読取り可能な記録媒体。
【発明の詳細な説明】
【０００１】
【発明の属する技術分野】
本発明は画像データ配送方法に関し、特に詳細には、依頼された検査の内容に従って生成された１組複数枚の医用画像を担持する画像データを、配送装置によりオンラインで宛先装置に配送するシステムにおける画像データ配送方法に関するものである。
【０００２】
また本発明は、上述のような画像データ配送方法を実施する装置に関するものである。
【０００３】
さらに本発明は、上記の画像データ配送方法をコンピュータに実行させるためのプログラムを記録した、コンピュータ読取り可能な記録媒体に関するものである。
【０００４】
【従来の技術】
病院等においては、例えば外来部門の医師が、ある患者の放射線画像やＣＴ画像等を撮影することを放射線科に依頼した際に、撮影された画像に関する画像データをオンラインで依頼元の医師に配送することが行なわれている。その場合、依頼元の医師は、配送された画像データに基づいて患者の画像をモニタに表示したり、あるいはハードコピーとして再生して、その表示画像あるいは再生画像を診断に供することができる。
【０００５】
ところで、この種の画像を用いる診断においては、一般に複数の画像が使用されることが多い。例えば放射線画像による胸部の単純検査の場合は、少なくとも胸部の正面画像と側面画像が撮影され、それらの画像が共に診断に供されることになる。
【０００６】
【発明が解決しようとする課題】
このような１組複数枚の医用画像を撮影する場合には、何らかの不具合により撮影処理が渋滞することもあり得る。そのような状況が、画像データを上述のようにオンラインで依頼元に配送するようにしている場合に生じると、所定枚数の画像分の画像データが揃わないため画像データの配送に移ることができず、そこで依頼元の医師にはいつまで経っても画像データが全く届かないという事態が発生してしまう。
【０００７】
そこで本発明は、規定された枚数の１組の医用画像が長時間費やしても生成完了しない場合に、この画像生成以降の処理が全く実行不可能になってしまうことを防止できる画像データ配送方法、およびその方法を実施するための装置、並びに、その方法をコンピュータに実行させるためのプログラムを記録した、コンピュータ読取り可能な記録媒体を提供することを目的とする。
【０００８】
【課題を解決するための手段】
本発明による画像データ配送方法は、
前述したように、依頼された検査の内容（例えば放射線画像撮影のメニュ等）に従って生成された１組複数枚の医用画像を担持する画像データを、配送装置によりオンラインで宛先装置に配送するシステムにおいて、
前記検査において生成すべき画像枚数を予め規定し、
その検査に属する画像の生成枚数を計数し、
その検査に属する最初の画像の生成に係る所定時点から所定時間が経過したときに、前記規定された枚数の画像が生成されていない場合は、その旨を示す通知を装置オペレータに示し、
前記通知を確認した装置オペレータから検査完了指示が与えられたとき、その時点で生成済みの画像についての画像データを配送することを特徴とするものである。
【０００９】
なお本発明による画像データ配送方法において、被検者を撮影した画像を読み取って画像データを得る場合、前記最初の画像の生成に係る所定時点は、該最初の画像の撮影が開始された時点としたり、あるいは、最初の画像についての画像データが配送装置に入力された時点とすればよい。
【００１０】
また本発明による画像データ配送方法においては、
前記通知を確認した装置オペレータから検査完了指示が与えられない場合、さらに一定の時間画像生成の完了を待機し、
この一定の時間経過後に規定された枚数の画像が生成されていない場合は、その時点で生成済みの画像についての画像データを配送することが望ましい。
【００１１】
あるいは、前記通知を確認した装置オペレータから検査完了指示が与えられない場合、さらに一定の時間画像生成の完了を待機し、
この一定の時間経過後に前記規定された枚数の画像が生成されていない場合は、その旨を示す再通知を装置オペレータに示し、
この再通知を確認した装置オペレータから検査完了指示が与えられたとき、その時点で生成済みの画像についての画像データを配送するようにしてもよい。
【００１２】
他方、前記検査内である１つの画像について画像の再生成がなされた場合は、前記所定時間を引き延ばすか、または該所定時間の計時に続く処理をキャンセルするのが望ましい。
【００１３】
また、このように１つの画像について画像の再生成がなされた場合は、画像データにこの再生成を示す情報を付帯させて配送するのが望ましい。
【００１４】
一方、本発明による画像データ配送装置は、
依頼された検査の内容に従って生成された１組複数枚の医用画像を担持する画像データを、配送手段によりオンラインで宛先装置に配送する装置において、
前記検査において生成すべき画像枚数を予め規定する手段と、
その検査に属する画像の生成枚数を計数し、その検査に属する最初の画像の生成に係る所定時点から所定時間が経過したときに、前記規定された枚数の画像が生成されていない場合は、その旨を示す通知を装置オペレータに示し、前記通知を確認した装置オペレータから検査完了指示が与えられたとき、その時点で生成済みの画像についての画像データを前記配送装置により配送させる制御手段とを備えたことを特徴とするものである。
【００１５】
なお、上記構成を有する本発明の画像データ配送装置において、
前記画像データが、被検者を撮影した画像を読み取って生成されるものである場合、
前記制御手段は、前記最初の画像の生成に係る所定時点を、該最初の画像の撮影が開始された時点とするように構成されてもよいし、あるいはこの所定時点を、最初の画像についての画像データが配送装置に入力された時点とするように構成されてもよい。
【００１６】
またこの制御手段は、前記通知を確認した装置オペレータから検査完了指示が与えられない場合、さらに一定の時間画像生成の完了を待機し、
この一定の時間経過後に前記規定された枚数の画像が生成されていない場合は、その時点で生成済みの画像についての画像データを配送させるように構成されるのが望ましい。
【００１７】
さらにこの制御手段は、前記通知を確認した装置オペレータから検査完了指示が与えられない場合、さらに一定の時間画像生成の完了を待機し、
この一定の時間経過後に前記規定された枚数の画像が生成されていない場合は、その旨を示す再通知を装置オペレータに示し、
この再通知を確認した装置オペレータから検査完了指示が与えられたとき、その時点で生成済みの画像についての画像データを配送させるように構成されるのが望ましい。
【００１８】
またこの制御手段は、前記検査内である１つの画像について画像の再生成（つまり再撮影等）がなされた場合は、前記所定時間を引き延ばすか、または該所定時間の計時に続く処理をキャンセルするように構成されるのが望ましい。
【００１９】
さらにこの制御手段は、上述のような画像の再生成がなされた場合は、画像データにこの再生成を示す情報を付帯させて配送させるように構成するのが望ましい。
【００２０】
なお、本発明による画像データ配送方法をコンピュータに実行させるためのプログラムとして、それをコンピュータ読取り可能な記録媒体に記録して提供してもよい。
【００２１】
【発明の効果】
本発明の画像データ配送方法においては、ある検査に属する最初の画像の生成に係る所定時点から所定時間が経過したときに、規定された枚数の画像が生成されていない場合は、その旨を示す通知を装置オペレータに示し、この通知を確認した装置オペレータから検査完了指示が与えられたとき、その時点で生成済みの画像についての画像データを配送するようにしたので、規定枚数の画像分の画像データが揃わないためにいつまで経っても全く画像データの配送ができない、という事態の発生を防止できる。
【００２２】
そこで本発明の画像データ配送方法によれば、放射線画像の撮影が渋滞したような場合でも、とりあえず何枚かの画像分の画像データを配送し、またこの画像データ配送以降の画像再生表示や、それを用いた診断等を部分的に進めておくことが可能となる。
【００２３】
【発明の実施の形態】
以下、図面を参照して本発明の実施の形態を説明する。図１は、本発明の一実施形態による画像データ配送装置を含む画像データ配送システムを示すものである。
【００２４】
図示されるようにこのシステムは、例えば病院の放射線科内に配置された依頼検査登録装置11と、この依頼検査登録装置11に接続された画像配送装置12と、病院内に構築されたネットワークを介して画像配送装置12に接続された診断用ワークステーション13とから構成されている。
【００２５】
上記の画像配送装置12は、複数枚の画像に関する画像データを記憶可能なメモリ20、計時手段21、比較手段22、配送手段23、制御手段24および再撮影指示手段25から構成されている。上記計時手段21および比較手段22は、制御手段24の一部を構成している。また診断用ワークステーション13は、画像配送装置12から画像データの配送を受ける宛先装置となるものであって、放射線科以外の例えば外来内科等に設置されている。
【００２６】
外来内科等の医師が、ある患者に関して放射線画像による検査が必要であると判断した際、医師は診断用ワークステーション13を操作することにより、放射線科に対して検査依頼情報を発行する。この検査依頼情報は、例えば「胸部単純検査」といった項目を指定したもので、放射線科内の依頼検査登録装置11に転送される。
【００２７】
依頼検査登録装置11に検査依頼情報が転送されると、放射線科の技師がその依頼内容に応じた撮影メニュを決定し、その撮影メニュを該依頼検査登録装置11に登録する。この撮影メニュは、検査依頼項目が例えば上述の「胸部単純検査」である場合は、「胸部正面撮影」および「胸部側面撮影」といったもので、検査項目毎に合計の撮影枚数も設定、登録される。このようにして規定された１検査内の撮影画像枚数を示す検査内画像数情報Ｓ１は、比較手段22に入力される。
【００２８】
なお、以上のように逐一撮影枚数を設定して入力する他、検査項目毎の撮影枚数を予め定めて記憶手段に記憶させておき、検査項目が定められたならこの記憶手段から当該検査項目に対応する撮影枚数を読み出し、その枚数を自動的に登録するようにしてもよい。
【００２９】
依頼検査登録装置11に撮影メニュが登録されると、その撮影メニュ情報が図示外の放射線画像撮影装置に転送される。放射線画像撮影装置では、入力された撮影メニュに従って、放射線画像記録媒体に被検者（患者）の透過放射線画像が撮影される。本例では特に、例えば特開昭５５−１２４９２号、同５６−１１３９５号等に示される蓄積性蛍光体シートが放射線画像記録媒体として用いられる。
【００３０】
放射線画像が記録された上記蓄積性蛍光体シートは、図示外の画像生成装置に送られる。画像生成装置は、この蓄積性蛍光体シートに記録されている放射線画像を読み取り、該放射線画像を示すデジタル画像データを生成する。この放射線画像の読み取りは上記特開昭５５−１２４９２号、同５６−１１３９５号にも示されている通り、蓄積性蛍光体シートを励起光によって走査し、そのとき蓄積性蛍光体シートの励起光照射部分から生じる輝尽発光光を光電的に検出することによってなされる。
【００３１】
画像生成装置によって得られた各蓄積性蛍光体シート毎のデジタル画像データＳ２は、順次画像配送装置12のメモリ20に転送され、そこに一時的に格納される。また、１つの検査の中で最初に撮影された放射線画像を読み取って得られた画像データＳ２がメモリ20に入力されると、その時点で計時手段21が計時を開始する。
【００３２】
そして計時手段21は、計時を開始してから所定時間が経過した時点で、比較手段22に比較処理を行なう指示を入力する。なおこの所定時間は、各検査項目に規定された枚数の放射線画像を撮影し、そしてそれらに関する画像データＳ２を得るのに十分な時間とされる。比較手段22は上記の指示を受けると、その時点でメモリ20に何枚分の画像データＳ２が格納されているか判別し、その枚数と、前記検査内画像数情報Ｓ１が示す画像数とを比較する。
【００３３】
制御手段24は、比較手段22の比較処理により、メモリ20に格納されている画像枚数が検査内画像数情報Ｓ１が示す画像数以上になっていると判別された場合は、配送手段23に配送指示を入力する。配送手段23はこの配送指示を受けると、メモリ20に格納されている画像データＳ２を全て診断用ワークステーション13に配送する。診断用ワークステーション13を操作する医師は、この画像データＳ２が担持している放射線画像を該診断用ワークステーション13において表示し、その画像を患者の診断に利用することができる。
【００３４】
このとき、放射線画像の撮影において例えば被検者が動く等して再撮影が行なわれたような場合は、メモリ20に格納されている画像枚数が検査内画像数情報Ｓ１が示す画像数を上回る可能性がある。そのような場合制御手段24は、放射線画像撮影装置に再撮影を指示する再撮影指示手段25から再撮影指示情報を受けて、配送手段23に、再撮影があったことを示すフラグ（再撮影実施フラグ）を付帯させる指示を与える。配送手段23はこの指示を受けると、一連の画像データＳ２に再撮影実施フラグを付帯させて診断用ワークステーション13に配送する。
【００３５】
このようにすれば、診断用ワークステーション13を操作する医師等は、規定枚数よりも多数の画像についての画像データＳ２が診断用ワークステーション13に配送されて来ても、その事情を直ちに理解できるので、診断に戸惑うようなことがなくなる。
【００３６】
一方、放射線画像撮影が何らかの事情によって渋滞した場合等は、計時手段21が計時を開始してから所定時間が経過した時点で比較手段22が比較した結果が、上記と反対になることがある。つまり、メモリ20に格納されている画像枚数が、検査内画像数情報Ｓ１が示す画像数に満たないことがある。以下、このような比較結果となった場合の制御手段24の処理について説明する。なお図１においては、この場合に制御手段24が行なう処理ステップ（Ｐ１〜Ｐ５）を、制御手段24の中に示してある。
【００３７】
メモリ20に格納されている画像枚数が、検査内画像数情報Ｓ１が示す画像数に満たない場合、制御手段24は図示外の表示手段を用いて、規定枚数の画像が未だ取得されていない旨を示す表示を出す（ステップＰ１）。放射線技師等の装置オペレータはこの表示を確認したとき、図示外の指示入力手段を用いて、検査完了指示を与えることができる（ステップＰ２）。また制御手段24は、上記ステップＰ１の表示を出した時点から計時手段21に計時を行なわせて、再度画像取得を待つ処理を開始する（ステップＰ３）。
【００３８】
上記の検査完了指示が与えられると、制御手段24は放射線画像撮影装置に一連の検査内の撮影を完了させる指示を送るとともに、配送手段23に配送指示を入力する。配送手段23はこの配送指示を受けると、その時点でメモリ20に格納されている画像データＳ２を、検査完了ステータス（検査完了を示す情報）を付帯させた上で全て診断用ワークステーション13に配送する。
【００３９】
診断用ワークステーション13を操作する医師は、画像データＳ２が担持する画像枚数が規定数に満たないことを知ることになるが、上記検査完了ステータスに基づく表示により、強制的に検査完了したことを確認できる。そこで、取り敢えず規定数に満たない枚数の画像を利用して、患者の診断を行なうことも可能となる。
【００４０】
以上のようにすれば、規定枚数の画像が取得されるまで長時間いつまでも待機して、画像データ配送以下の処理に移れないといった不具合や、さらには、医師が規定枚数の画像取得を待ち続けて、診断を行なってもよいのかどうか判断に迷うといった不具合が生じることを防止できる。
【００４１】
前述したステップＰ３の処理に移ると、ここから計時手段21による計時が開始され、それから一定時間が経過した時点で、比較手段22による比較処理以下の処理が同様になされる。なおこの際の上記一定時間は、前述の所定時間つまり、最初に計時手段21が計時を開始してから比較手段22に比較処理を指示するまでの時間と同じに設定されてもよいし、あるいは異なる時間に設定されてもよい。
【００４２】
計時手段21による計時が再度開始されてから上記一定時間が経過した時点で、比較手段22による比較処理がなされるが、そこでメモリ20に格納されている画像枚数が検査内画像数情報Ｓ１が示す画像数以上になっていると判別された場合、制御手段24は配送手段23に配送指示を入力する。配送手段23はこの配送指示を受けると、メモリ20に格納されている画像データＳ２を全て診断用ワークステーション13に配送する。
【００４３】
それに対して、メモリ20に格納されている画像枚数が検査内画像数情報Ｓ１が示す画像数未満であると判別された場合、それ以降の処理は、比較手段22による第１回目の比較処理で同様の判別がなされた場合と同じようになされる。つまり、前述したステップＰ１からステップＰ３までの処理がなされる。あるいは、そのようにはしないで、ここで強制的に検査を完了して、その時点でメモリ20に格納されている画像データＳ２を診断用ワークステーション13に配送するようにしてもよい。
【００４４】
なお前者のようにする場合は、計時手段21による計時以降の処理を繰り返す上限回数を予め定めておき、その一連の処理の最後の回でも、メモリ20に格納されている画像枚数が検査内画像数情報Ｓ１が示す画像数未満であると判別されたならば、そこで強制的に検査を完了して、その時点でメモリ20に格納されている画像データＳ２を診断用ワークステーション13に配送するのがよい。そのようにすれば、規定枚数の画像が取得されない限りいつまで経っても画像データが配送されないという事態が生じることを回避できる。
【００４５】
また本例においては、前述した再撮影指示手段25により放射線画像撮影装置に再撮影の指示が与えられたとき、制御手段24は前記所定時間、つまり計時手段21による計時が開始してから比較手段22に比較処理をさせるまでの時間を引き延ばす（ステップＰ４）。そうすることにより、放射線画像撮影に手間取ってはいるものの実際に撮影作業が進行している最中に、１組の規定枚数分揃わない画像データＳ２が強制的に配送されてしまうことを防止できる。
【００４６】
あるいは、再撮影指示手段25により放射線画像撮影装置に再撮影の指示が与えられたとき、制御手段24が上所定時間の計時以降の処理を全てキャンセルする（ステップＰ５）ようにしてもよい。その場合は、以上説明した一連のシーケンスで画像データＳ２が配送されることはなくなるので、例えば放射線技師のマニュアル操作等によって画像データＳ２を配送させればよい。
【図面の簡単な説明】
【図１】本発明の一実施形態による画像データ配送装置を含む画像データ配送システムを示す概略図
【符号の説明】
11    依頼検査登録装置
12    画像配送装置
13    診断用ワークステーション
20    メモリ
21    計時手段
22    比較手段
23    配送手段
24    制御手段
25    再撮影指示手段
Ｓ１  検査内画像数情報
Ｓ２  画像データ
【図１】
0003810591.tif 000002